(57)【要約】      （修正有）【課題】低価格で空気の注入を不要にし、ブーツへの装填を短時間に効率よく行え、ブーツに装填していない状態での収納が嵩張らない靴の形状保持具を提供する。【解決手段】長方形をなすボール紙１０の鉛直方向中心線に中折れ用のハーフカット２０を配設し、さらに下辺の近傍に下辺と平行に折り取り用のハーフカット３０を所望の間隔に２本配設してなる。前記ボール紙１０をハーフカット２０に沿って略６０度の開き角度を持つ略Ｖ字状に中折れし、開き角度を狭めながらブーツ内に挿入し、挿入を終えた時点で手を離しスプリングバックでブーツの内壁面に３点接触する構成。【選択図】図１
0003144262.tif 000002
【実用新案登録請求の範囲】
【請求項１】
矩形シートを中折れし、中折れ後の断面形状が略V字状をなすことを特徴とする靴の形状保持具。
【請求項２】
矩形シートの端部を折り取り可能にハーフカットまたはミシン目のいずれか一方を前記端部近傍に前記端部と略平行に配設したことを特徴とする請求項１記載の靴の形状保持具。
【請求項３】
矩形シートに代え略台形状シートとしたことを特徴とする請求項１または２のいずれか１項に記載の靴の形状保持具。
【考案の詳細な説明】
【技術分野】
【０００１】
本考案は、靴たとえば長靴の形状を保持する部材に関する。
【背景技術】
【０００２】
従来、革やゴム・ビニール製で、膝の辺りまで丈のある長靴はブーツと称され、多くの人に着用されている。しかし、ブーツは踝から膝を覆う筒状部が長く、その筒状部は肌との密着性が高いために、通気性が非常に悪く、着用時には、発汗しやすく、蒸れやすい。また、保管時も筒状部の丈が長いために内部靴底部の通気が悪く、悪臭が生じたり、カビが生じたりと、ブーツは手入れが非常に難しいとされている。さらに、非着用時は、ブーツの筒状部が柔軟なため、折れ曲がってしまい、筒状部の形状が崩れてしまうという課題を有していた。
【０００３】
膨出時にブーツ筒状部の内部脹脛形状に相当する外形を形成する透明プラスチック製の筒状袋体であって、その上部壁に圧縮空気注入・排出用バルブを備えたブーツの形状保持具として実用新案登録第３０８１３１８号公報が提案されている。
【特許文献１】実用新案登録第３０８１３１８号公報
【考案の開示】
【考案が解決しようとする課題】
【０００４】
しかし特許文献１におけるブーツの形状保持具は、筒状袋体がブーツの内面に接触し乾燥を妨げやすい。また、筒状袋体に圧縮空気を注入する動作が煩わしく手間がかかる。さらに、筒状袋体に排出用バルブを備えた構成はコストが高かった。
【０００５】
本考案は低価格で空気の注入を不要にし、ブーツへの装填を短時間に効率よく行え、ブーツに装填していない状態での形状保持具の収納が嵩張らず極めて容易に行えることを目的とする。
【課題を解決するための手段】
【０００６】
本考案にかかる靴の形状保持具は、矩形シートの一辺たとえば長辺に略平行に中折れし、中折れ後の断面形状が略Ｖ字状をなすことを特徴としたもので、低価格で空気の注入を不要にし、靴への装填を短時間に効率よく行え、靴に装填していない状態での形状保持具の収納が極めて容易で嵩張らない。また、靴と形状保持具の間に大きな隙間ができ靴内の乾燥と消臭を促進できる。
【０００７】
さらに本考案にかかる靴の形状保持具は、上記形状保持具において矩形シートの端部たとえば短辺側を折り取り可能にハーフカットまたはミシン目のいずれか一方を前記短辺と略平行に配設したことを特徴としたもので、矩形シートの短辺側の端部を折り取ることにより、例えば長靴における股下から足首までの脚部長さ等に容易に対応できる。
【０００８】
さらに本考案にかかる靴の形状保持具は、上記形状保持具において矩形シートに代え台形状シートとしたことを特徴としたもので、例えば長靴の脚部が足首に向けて細くなる形状等に容易に対応できる。
【考案の効果】
【０００９】
上記構成により本考案の靴の形状保持具は、低価格で空気の注入を不要にし、靴への装填を短時間に効率よく行え、靴に装填していない状態での形状保持具の収納が極めて容易で嵩張らない。靴と形状保持具の間に大きな隙間ができ靴内の乾燥と消臭を促進できる。また、長靴において股下から足首までの脚部長さや,脚部形状に容易に対応できる。
【考案を実施するための最良の形態】
【００１０】
本考案にかかる靴の形状保持具は上述の通りである。靴の形状保持具を構成するシート部材は一般的に使用される任意の部材としてよい。例えば、厚手の紙、ボール紙、段ボール、プラスチックシートなどの一つまたはその組み合わせとすればよい。プラスチックシートは塩化ビニール、ナイロン、ポリスチレン、ポリプロピレン、ポリエチレン、ポリエチレンテレフタレートなどの内、安価な樹脂から選んだ一つとすればよい。
シート厚さは厚手の紙、ボール紙では０．５ｍｍ〜１ｍｍ程度、プラスチックシートでは０．３ｍｍ〜１ｍｍ程度、段ボールでは２ｍｍ程度とするのが好ましい。
【００１１】
シートの外形は長方形(縦長)などの矩形、上辺の寸法が底辺より大きい逆台形、略鼓型、略樽型など任意の外形としてよい。勿論、長靴の脚線形状に合わせて展開したシート形状としてもよい。
【００１２】
シートを中折れさせるには所定温度に加熱した状態での曲げ加工、またはミシン目、またはハーフカットを備えた構成が望ましい。ハーフカットはＶ字状の溝を所望の深さに配設する、または刃物で所望の深さに切り込みを設ける構成とするのが好ましい。同様に、シートの端部を折り取る場合もミシン目またはハーフカットを備えた構成とするのが望ましい。以下、本考案の一実施例における靴の形状保持具を図面とともに説明する。
【実施例１】
【００１３】
図１は本考案の一実施例における中折れ前のブーツの形状保持具の正面図、図２は図１の中折れ後の正面図、図３は図２の平面図、図５はブーツ内に図２のブーツの形状保持具を装填した状態の斜視図を示す。
【００１４】
図1に示す中折れ前のブーツの形状保持具１００は、横幅１６ｃｍ,長さ３８ｃｍの長方形をなす厚さ１ｍｍのボール紙１０からなる。ボール紙１０の鉛直方向中心線に中折れ用のハーフカット２０を配設してなる。また、下辺の近傍に下辺と平行に折り取り用のハーフカット３０を略３ｃｍ間隔に２本配設してなる。前記ボール紙１０をハーフカット２０に沿って略６０度の開き角度を持つ略Ｖ字状に中折れすることにより図２、図３に示すブーツの形状保持具が形成される。
【００１５】
ブーツ５０に本考案の形状保持具１００を装填した状態を図５に示す。装填に際して、形状保持具１００の開き角度を狭めながら挿入し、挿入を終えた時点で手を離しスプリングバックでブーツの内壁面に３点接触する構成とした。
【００１６】
上記構成により本考案の靴の形状保持具１００は、靴への装填を短時間に効率よく行える。靴と形状保持具の間に大きな隙間ができ靴内の乾燥と消臭を促進できる。低価格で空気の注入を不要にし、靴内に装填していない状態での形状保持具の収納が極めて容易で嵩張らない。
【実施例２】
【００１７】
図２は本考案のもう一つの実施例における中折れ前のブーツの形状保持具２００の正面図を示す。この場合の形状保持具２００も基本的な構成は実施例１と同様とした。長方形シートに代え、逆台形シート２１０とした。上辺２１５の寸法を底辺２１６より大きく構成しブーツの脚部が足首に向けて細くなる形状に対応させた。上辺２１５を１６ｃｍ,長さを３８ｃｍ, 底辺２１６を１０ｃｍ程度とした。材質は厚さ０．５ｍｍのポリプロピレン樹脂とし、刃物によるハーフカット深さを０．３ｍｍ〜０．５ｍｍ程度とした。中折れに加工に際し、逆台形シート２１０を５０℃〜６０℃程度に加熱し曲げ加工した。
【００１８】
なお、長靴以外の一般的な靴や運動靴に本考案の形状保持具を適用する場合、足の甲部分に当接する部位の変形を防止する目的で適用してよいことは自明である。
【産業上の利用可能性】
【００１９】
本考案はブーツなど長靴の形状保持具のみならず一般的な靴や運動靴の形状保持具にも利用できる。
【図面の簡単な説明】
【００２０】
【図１】本考案の一実施例における中折れ前のブーツの形状保持具の正面図
【図２】図１の中折れ後のブーツの形状保持具の正面図
【図３】図２の平面図
【図４】本考案のもう一つの実施例における中折れ前のブーツの形状保持具の正面図
【図５】ブーツ内に図２のブーツの形状保持具を装填した状態の斜視図
【符号の説明】
【００２１】
１０  矩形シート
２０、２２０  ハーフカット(またはミシン目)
３０、２３０  ハーフカット(またはミシン目)
５０  ブーツ
１００、２００  形状保持具
２１０  逆台形シート
２１５  上辺
２１６  底辺
【図１】
0003144262.tif 000003
【図２】
0003144262.tif 000004
【図３】
0003144262.tif 000005
【図４】
0003144262.tif 000006
【図５】
0003144262.tif 000007